(57)【特許請求の範囲】
【請求項１】
プリント回路基板に取り付けられ、相手側電源コネクタに当接されて電力転送用の電源コネクタであって、
前記相手側電源コネクタの当接部分を収容する収容室及び端子を収容する複数の収容溝を有している絶縁本体と、
前記絶縁本体の収容溝に対応して収容される主体部及び該主体部から前方へ収容室に一体に延入され、相手側電源コネクタの当接部分を接触している複数の当接部を含む第１導電端子及び第２導電端子と、
を備え、
前記第１導電端子の当接部は第１円周面に間隔が等しく配置され、内方へ湾曲して延伸され、前記第２導電端子の当接部は第２円周面に間隔が等しく配置され、外方へ湾曲して延伸され、前記第１円周面は前記第２円周面の外側に位置し、
前記電源コネクタはシグナル端子を具備し、前記絶縁本体は外層にある第１本体及び該第１本体の後方から収容室に延入される第２本体を含み、該第２本体は長手の軸線方向に前記シグナル端子を収容するための収容穴が設けられていることを特徴とする電源コネクタ。
【請求項２】
前記絶縁本体の後端面に円環状の第１収容溝が形成され、該第１収容溝内にある絶縁本体は方形環状の第２収容溝を形成し、第１収容溝と第２収容溝との間にある絶縁本体の対角線に前記第１収容溝と貫通する４つの第１貫通孔が対称的に配置され、前記絶縁本体の上面、底面及び両側面に前記第２収容溝と貫通する４つの第２貫通孔がそれぞれ配置され、第１本体の収容室に隣接する内円周壁面に第１貫通孔と対応して第１収容溝と連通する第１グルーブが後から前へ延伸して設けられ、第２本体の収容室に隣接する外円周壁面に第２貫通孔と対応して第２収容溝と連通する第２グルーブが後から前へ延伸して設けられ、絶縁本体の中央所に直立方向に延伸され、前記収容穴と連通するスロットが設けられていることを特徴とする請求項１記載の電源コネクタ。
【請求項３】
前記シグナル端子は、前記第２本体の収容穴内に収容される当接端及び該当接端の端部から直立方向に下方へ形成され、前記スロットに収容されるテール部を含み、該テール部は中部に形成され、プリント回路基板に支持される支持部と、プリント回路基板に取付けられる半田付け部とを具備し、前記当接端の後部の上側縁、下側縁に収容穴と干渉するための複数の引掛部が設けられていることを特徴とする請求項２記載の電源コネクタ。
【請求項４】
前記電源コネクタは絶縁本体の周りに被覆される遮蔽ハウジングを含み、該遮蔽ハウジングは絶縁本体の底部に係合される一対の係止部を有していることを特徴とする請求項１記載の電源コネクタ。
【請求項５】
前記第１導電端子は円環状の主体部と、該主体部から延伸して形成され、同一円周面に間隔が等しく対称して配置される４つの固着部と、４つの当接部と、一対の脚部と、を有し、該固着部は主体部の上面、底面及び両側面から前方へ対称して延出され、上面及び両側面にある固着部の両側の主体部に隣接する所に係止片が前から後へ且つ外方へ形成され、底面にある固着部の前端及び該固着部と位置が対応する主体部の後端は下方へ延伸して支持部を形成し、前記脚部は各支持部から下方へ延伸して形成され、且つ半田ペーストを収容するグルーブを有し、各当接部は前記固着部の間にある主体部からまず前方へ水平に延伸され、それから内方へ傾斜に延伸され、最後に外方へ湾曲して延伸され、前記当接部は絶縁本体の後端面の対角線に沿って対称に配置され、且つ一定の弾性を持っていることを特徴とする請求項２記載の電源コネクタ。
【請求項６】
前記第１導電端子の主体部は前記絶縁本体の後端面にある第１端子収容溝に固着して収容され、その当接部は前記第１貫通孔を通過し、第１グルーブに収容され、固着部は係止片を通過し、第１本体の内円周壁面と干渉し、前記支持部はプリント回路基板に支持することに用いられ、脚部は下方へ延伸され、絶縁本体の底面を超え、且つ前記プリント回路基板に取り付けられていることを特徴とする請求項５記載の電源コネクタ。
【請求項７】
前記第２導電端子はブロック状の主体部と、該主体部から前方へ水平に延伸して形成される固着部と、該固着部からまず外方へ傾斜に延伸し、それから内方へ湾曲し延伸して形成される当接部と、半田ペーストを収容するグルーブを有する一対の脚部と、を含み、該固着部と当接部とは水平方向及び直立方向に相対して対称し、且つ同一円周面に間隔が等しく配置され、当接部は一定の弾性を持ち、主体部の左側縁及び右側縁から一対の腿部が横向に延伸して形成され、各腿部の下端に支持部が形成され、前記脚部は該支持部から下方へ延伸して形成され、各固着部の両側縁に複数の引掛部が設けられていることを特徴とする請求項２記載の電源コネクタ。
【請求項８】
前記第２導電端子の主体部は前記第２収容溝に固着して収容され、固着部及び当接部は前記第２貫通孔を通過して第２グルーブに収容され、固着部は側縁に設けられる複数の引掛部を通過して第２貫通孔と干渉し、前記腿部は絶縁本体の後端面に被覆し、支持部は前記プリント回路基板に支持され、脚部は下方へ延伸して絶縁本体の底面を超え、プリント回路基板に取り付けられていることを特徴とする請求項７記載の電源コネクタ。
【発明の詳細な説明】
【０００１】
【発明の属する技術分野】
本発明は、電源コネクタに関し、特に２層の端子を有し、相手側電源コネクタと電力を安定的に転送する電源コネクタに関するものである。
【０００２】
【従来の技術】
電源コネクタは電子領域に広く応用され、当該電源コネクタの従来技術は特許文献１乃至特許文献５を参照されたい。図１０及び図１１を参照すると、前記特許文献１に内、外円筒状の当接端子を有する相手側電源コネクタと当接する電源コネクタが掲示され、その絶縁本体９０の収容室９００の中央所に針状端子９１が設けられ、収容室９００の両側にある絶縁本体９０内に導電端子９２、９３、９４が設けられ、該導電端子９３、９４はそれぞれ絶縁本体９０の内周の内側及び底部にあり、相手側電源コネクタ９７と当接する。針状端子９１は前記相手側電源コネクタの内層円筒状端子９６と面接触で電気的に接続することを達成し、二者は弾性変形を生じない。針状端子９１は前記相手側電源コネクタの内層円筒状端子９６との合わせがゆるければ、接触性が悪く、電力の転送が安定せず、合わせが締め付ければ、挿接が不利になり、且つ端子が損傷を受けやすい。また、導電端子９３、９４は相手側電源コネクタ９７の外層円筒状端子９５の円周方向に間隔が等しくなく配置されることによって、相手側電源コネクタ９７の当接部分の外周は受力が均衡しなく、ゆがみやすく、安定的な挿抜力を提供しにくく、電力の転送性能を影響する。前記特許文献５に長さが異なる針状端子を有する相手側電源コネクタと当接する電源コネクタが掲示され、その端子は円筒状に配置される複数の当接部及び該当接部と一体に接続する半田テール部を含む。前記複数の当接部は同一円周に間隔が等しく配置され、該端子を導電端子９３、９４の代わりとして図１１に示した電源コネクタに用いれば、相手側電源コネクタ９７の当接部分の外周は受力が均衡になり、しかし、前記針状端子９１は相手側電源コネクタ９７の内層円筒状端子９６との接触時の欠点は克服することはできない。
【０００３】
したがって、従来技術の欠点を克服するために前記電源コネクタの端子構造を改良することが必要である。
【０００４】
【特許文献１】
台湾実用新案登録出願第４４９１３５号公報
【特許文献２】
米国特許第４７０２７０７号明細書
【特許文献３】
米国特許第５３７６０１２号明細書
【特許文献４】
米国特許第６３１９０７５号明細書
【特許文献５】
米国特許第６１９０２１５号明細書
【０００５】
【発明が解決しようとする課題】
本発明は、端子の弾性当接部が内、外層を有し、相手側電源コネクタの当接部分に均衡な支持力を提供し、相手側電源コネクタと安定的で電気的に接続することを達成し、電力転送の安定性を確保する電源コネクタを提供することを目的とする。
【０００６】
【課題を解決するための手段】
本発明の課題を解決するために、本発明の電源コネクタは絶縁本体と、第１導電端子及び第２導電端子と、を含み、前記絶縁本体には相手側電源コネクタの当接部分を収容するための収容室及び第１導電端子と第２導電端子とを対応して収容するための複数の収容溝が設けられる。前記第１導電端子及び第２導電端子は前記絶縁本体の収容溝に対応して収容される主体部及び該主体部から前方へ収容室に一体に延入され、相手側電源コネクタの当接部分を接触している複数の当接部を含み、前記第１導電端子の当接部は第１円周面に間隔が等しく配置され、内方へ湾曲して延伸され、前記第２導電端子の当接部は第２円周面に等しく配置され、外方へ湾曲して延伸され、前記第１円周面は前記第２円周面の外側に位置する。
【０００７】
【発明の実施の形態】
図１乃至図４を参照すると、本発明の電源コネクタ１は絶縁本体２と、電力転送用の第１導電端子５、第２導電端子６と、シグナル端子７と、遮蔽ハウジング８と、を含む。
【０００８】
前記絶縁本体２は、概略正方体に構成され、中央所に収容室３を形成する第１本体２１と、絶縁本体２の後部から前記収容室３に延入され、円柱状の第２本体２２を含む。該第２本体２２は長手方向の軸線所に直径が比較的に小さな収容穴４が形成される。前記第１本体２１の上面の先端にフランジ（標示せず）を有し、該フランジの中部から後方向に凸部２１１が延伸される。絶縁本体２の後端面に円環状の第１収容溝２３が形成され、該第１収容溝２３内にある絶縁本体２に方形環状の第２収容溝２４が形成される。第１収容溝２３と第２収容溝２４との間にある絶縁本体２の後部の対角線方向に前記第１収容溝２３と貫通する４つの第１貫通孔２３１が対称的に配置され、上面、底面及び両側面に前記第２収容溝２４と貫通する４つの第２貫通孔２４１がそれぞれ配置される。第１本体２１の収容室３に隣接する内円周壁面に第１貫通孔２３１と対応して第１収容溝２３と連通する第１グルーブ２３２が後から前へ延伸して設けられ、第２本体２２の収容室３に隣接する外円周壁面に第２貫通孔２４１と対応して第２収容溝２４と連通する第１グルーブ２４２が後から前へ延伸して設けられ、第２本体２２の後端の中央部に直立方向に延伸され、前記収容穴４と連通するスロット２５が設けられている。
【０００９】
図５及び図６を参照すると、前記第１導電端子５は円環状の主体部５１と、該主体部５１から延伸して形成され、同一円周面に対称して間隔が等しく配置される４つの固着部５２と、４つの当接部５３と、一対の脚部５４と、を有し、該固着部５２は主体部５１の上面、底面及び両側面から前方へ対称して延出され、上面及び両側面にある固着部５２の両側の主体部５１に隣接する所に係止片５２０が前から後へ且つ外方へ形成され、底端にある固着部５２の前端及び該固着部５２と位置が対応する主体部５１の後端は支持部５２１が下方へ延伸して形成され、前記脚部５４は各支持部５２１から下方へ延伸して形成され、且つ半田ペーストを収容するグルーブ５４０を有し、各当接部５３は前記固着部５２の間にある主体部５１からまず前方へ水平に延伸され、それから内方へ傾斜に延伸され、最後に外方へ湾曲して延伸され、前記当接部５３は絶縁本体２の後端面の対角線に沿って対称に配置され、且つ一定の弾性を持っている。
【００１０】
図７及び図８を参照すると、前記第２導電端子６はブロック状の主体部６１と、該主体部６１から前方へ水平に延伸して形成される固着部６２と、該固着部６２からまず外方へ傾斜に延伸し、それから内方へ湾曲し延伸して形成される当接部６３と、一対の脚部６５と、を含む。該固着部６２と当接部６３とは水平方向及び垂直方向に相対して対称し、同一円周面に間隔が等しく配置され、当接部６３は一定の弾性を持ち、主体部６１の左側縁及び右側縁から一対の腿部６４が横向に延伸して形成され、各腿部６４の下端に支持部６４０が形成され、前記脚部６５は該支持部６４０から下方へ延伸して形成され、各脚部６５に半田ペーストを収容するグルーブ６５０が設けられる。前記各固着部６２の両側縁に複数の引掛部６２０が設けられている。
【００１１】
図２を参照すると、前記シグナル端子７は、ホーク状の当接端７１及び該当接端７１の末端から直立に下方向へ形成されるテール部７２を具備し、前記当接端７１の上、下側縁の略後部に複数の引掛部７１０が設けられ、前記テール部７２は中部に形成される支持部７２０及び該支持部７２０の下方に位置される半田付け部７２１を有している。
【００１２】
前記遮蔽ハウジング８は、「ｎ」字形に構成され、頂壁と、該頂壁を接続する左、右側壁（標示せず）とを有する。前記ハウジング８の頂壁の前端中央部に切欠口８３が形成され、該ハウジング８の左、右側壁の下方の中央部から一対の係止部８２が上方に湾曲して形成され、左、右側壁の前、後部から下方向へ脚部８１が一体に延伸され、各脚部８１の中央部に半田ペーストを収容するグルーブ（標示せず）が形成されている。
【００１３】
組立の時に、図３乃至図９を参照すると、前記第１導電端子５は電源カソードとして絶縁本体２の後端から絶縁本体２に組み込み、主体部５１は絶縁本体２の後端面の円環状第１収容溝２３に固着して収容され、その当接部５２は前記第１貫通孔２３１を通過し、第１グルーブ２３２に収容され、固着部５３は係止片５２０を通過し、第１本体２１の内円周壁面と干渉し、第１導電端子５を絶縁本体２に固着する効果を強化し、前記支持部５２１はプリント回路基板（図示せず）に支持することに用いられ、脚部５４は下方へ延伸され、絶縁本体２の底面（標示せず）を超え、且つ前記プリント回路基板に取り付けられている。前記第２導電端子６は電源アノードとして絶縁本体２の後端から絶縁本体２に組み込み、その主体部６１は前記方形環状第２収容溝２４に固着して収容され、固着部６２及び当接部６３は前記第２貫通孔２４１を通過して第２グルーブ２４２に収容され、固着部６２は側縁に設けられる複数の引掛部６２０を通過して第２貫通孔２４１と干渉し、第２導電端子６を絶縁本体２に固着する効果を強化し、前記腿部６４は絶縁本体２の後端面に被覆し、支持部６４０は前記プリント回路基板に支持され、脚部６５は下方へ延伸して絶縁本体２の底面を超え、プリント回路基板に取り付けられている。前記第１、第２導電端子５、６の当接部５３、６３の一部は収容室３に頭を出し、相手側電源コネクタの当接部分（図示せず）と当接する。
【００１４】
前記シグナル端子７が第２本体２２の収容穴４に収容され、当接端７１の引掛部７１０を通して収容穴４と干渉し、シグナル端子７を第２本体２２に固着し、テール部７２は絶縁本体２の後端のスロット２５に収容され、支持部７２０はプリント回路基板（図示せず）上に支持され、半田付け部７２１はプリント回路基板に取り付けられる。
【００１５】
前記遮蔽ハウジング８は絶縁本体２の外周を遮蔽し、切欠口８３は絶縁本体２の凸部２１１と合わせ、一対の係止部８２は絶縁本体２の底部の凹所２６に係止し、絶縁本体２と遮蔽ハウジング８とを緊密に結合させ（図９参照）、脚部８１がプリント回路基板（図示せず）に半田付けられる。
【００１６】
本発明の電源コネクタ１の第１導電端子５の４つの当接部５３は同一円周面に対称して間隔が等しく配置され、第２導電端子６の４つの当接部６３は同一円周面に対称して間隔が等しく配置され、相手側電源コネクタの当接部分（図示せず）は前記収容室３に組み込み、電源コネクタ１と当接する際に、前記第１、第２導電端子５、６の弾性当接部５３、６３は異なる方位で相手側電源コネクタの当接部分に対称に位置決められ、且つ当接部分は円周方向に受力を均衡させる。第１、第２導電端子５、６は内、外層に形成され、且つ対称に配置され、一定の弾性を持っていることによって、相手側電源コネクタの当接部分は電源コネクタ１に挿入する時、方向が偏っても、適宜な矯正を提供でき、電気コネクタ間の安定的で電気的な接続を保証し、電力転送の安定性を確保する。
【００１７】
前記の実施の形態は単に本願のより良い実施の形態にすぎず、本発明の請求範囲を限定するものではなく、当業者は本発明に基づきなしうる細部の修正或いは変更など、いずれも本発明の特許請求の範囲に属するものとする。
【図面の簡単な説明】
【図１】  本発明の電源コネクタの斜視図である。
【図２】  本発明の電源コネクタの正面から見た分解斜視図である。
【図３】  本発明の電源コネクタの背面から見た分解斜視図である。
【図４】  図１のＩＶ−ＩＶ線方向の断面図である。
【図５】  本発明の電源コネクタの第１導電端子の正面から見た斜視図である。
【図６】  本発明の電源コネクタの第１導電端子の背面から見た斜視図である。
【図７】  本発明の電源コネクタの第２導電端子の正面から見た斜視図である。
【図８】  本発明の電源コネクタの第２導電端子の背面から見た斜視図である。
【図９】  本発明の電源コネクタの底面から見た斜視図である。
【図１０】  従来の電源コネクタの正面から見た分解斜視図である。
【図１１】  図１０に示した従来の電源コネクタは相手側電源コネクタと当接した状態の断面図である。
【符号の説明】
１  電源コネクタ
２  絶縁本体
３  収容室
４  収容穴
５  第１導電端子
６  第２導電端子
７  シグナル端子
８  遮蔽ハウジング
２１  第１本体
２２  第２本体
２３  第１収容溝
２４  第２収容溝
２５  スロット
２６  凹所
５１、６１  主体部
５２、６２  固着部
５３、６３  当接部
５４、６５、８１  脚部
６４  腿部
７１  当接端
７２  テール部
８２  係止部
８３  切欠口
２１１  凸部
２３１  第１貫通孔
２３２  第１グルーブ
２４１  第２貫通孔
２４２  第２グルーブ
５２０  押圧片
５２１、６４０、７２０  支持部
６２０、７１０  引掛部
５４０、６５０  グルーブ
７２１  半田付け部
【図１】
0003958703.tif 000002
【図２】
0003958703.tif 000003
【図３】
0003958703.tif 000004
【図４】
0003958703.tif 000005
【図５】
0003958703.tif 000006
【図６】
0003958703.tif 000007
【図７】
0003958703.tif 000008
【図８】
0003958703.tif 000009
【図９】
0003958703.tif 000010
【図１０】
0003958703.tif 000011
【図１１】
0003958703.tif 000012